(57)【要約】【課題】  スライバファネルと一対のドローオフローラとがウェブ案内要素の直後のドラフト装置出口にある、塵埃、繊維屑等を除去する吸込装置を含む、練条機の構造において、放出された廃棄物を効果的に捕獲して除去することができるようにすることを目的とする。【解決手段】  吸込除去装置はスライバファネルの出口とドローオフローラ間のニップの間の領域を囲むことができる。吸込除去装置の流れ通路は、スライバファネルの入口領域を囲むことができ、且つスライバファネルの入口領域を越えて横方向に突出している。【選択図】      図１
2005120564.tif 000002
【特許請求の範囲】
【請求項１】
スライバファネルと一対のドローオフローラとがウェブ案内要素の直後のドラフト装置出口にあり、吸込除去装置が該スライバファネルの出口と該ドローオフローラ間のニップとの間の領域を囲むことができる、塵埃、繊維屑等を除去するための吸込装置を含む、練条機の構造において、該吸込除去装置（１４；１４ａ，１４ｂ）を有する流れ通路（１５）が、該スライバファネル（１０）の入口領域（１０ａ）を囲むことができ、且つ該スライバファネル（１０）の該入口領域（１０ａ）を越えて横方向に突出していることを特徴とする構造。
【請求項２】
該流れ通路（１５）が該スライバファネルの該入口領域及び該ドローオフローラの該ニップにオーバーラップするように配置され又は構成されていることを特徴とする請求項１に記載の構造。
【請求項３】
該流れ通路が、該スライバファネルの入口及び出口から出てくる塵埃、短い繊維等を捕獲できることを特徴とする請求項１又は２に記載の構造。
【請求項４】
カバー要素（１４ｂ）が該吸込除去装置（１４；１４ａ）に設けられており、該カバー要素が該流れ通路（１５）を部分的に覆っていることを特徴とする請求項１又は３に記載の配置構造。
【請求項５】
該カバー要素（１４ｂ；１４ｂ1、１４ｂ2）が屋根又は同種のものの形状をしていることを特徴とする請求項１から４のいずれか１項に記載の構造。
【請求項６】
該カバー要素は、該スライバファネルの該入口領域と該ドローオフローラ間の該ニップとにオーバーラップするように構成されていることを特徴とする請求項１から５のいずれか１項に記載の構造。
【請求項７】
該流れ通路（１５）が、（繊維供給方向（Ｂ）の方向に見て）該スライバファネルの該入口領域の上流側に配置されていることを特徴とする請求項１から６のいずれか１項に記載の構造。
【請求項８】
吸込開口（１５1、１５2）が、（繊維供給方向（Ｂ）の方向に見て）該ドローオフローラ間の該ニップの上流側に配置されていることを特徴とする請求項１から７のいずれか１項に記載の構造。
【請求項９】
該カバー要素が２つの部分（部品１４ｂ1及び部品１４ｂ2）で構成されていることを特徴とする請求項１から８のいずれか１項に記載の構造。
【請求項１０】
該カバー要素が、該スライバファネルと組み合わされた移送管（１７）を取り囲んでいることを特徴とする請求項１から９のいずれか１項に記載の構造。
【請求項１１】
該移送管が該流れ通路を通って延びることを特徴とする請求項１から１０のいずれか１項に記載の構造。
【請求項１２】
該カバー要素の該二つの部分が互いに分離され得ることを特徴とする請求項１から１１のいずれか１項に記載の構造。
【請求項１３】
該ウェブ案内要素と該移送管とが該カバー要素の固定位置部分上に配置されていることを特徴とする請求項１から１２のいずれか１項に記載の構造。
【請求項１４】
該カバー要素は、位置固定部品（１４ｂ2）及び可動部品（１４ｂ1）からなることを特徴とする請求項１から１３のいずれか１項に記載の構造。
【請求項１５】
該流れ通路（１５）は鋳物部品、例えばアルミニウム鋳物であることを特徴とする請求項１から１４のいずれか１項に記載の構造。
【請求項１６】
該流れ通路は少なくとも一つの開口を有することを特徴とする請求項１から１５のいずれか１項に記載の構造。
【請求項１７】
該開口は該ドローオフローラ間の該ニップに面していることを特徴とする請求項１から１６のいずれか１項に記載の構造。
【請求項１８】
該流れ通路（１５）が該スライバファネル（１０）の該入口領域（１０ａ）に面していることを特徴とする請求項１から１７のいずれか１項に記載の構造。
【請求項１９】
該流れ通路が、該スライバファネルの該入口領域及び該ドローオフローラ間の該ニップを囲んでいる（密閉している）ことを特徴とする請求項１から１８のいずれか１項に記載の構造。
【請求項２０】
該吸込除去装置の該吸込管（１４ａ）が空気吸込源例えば、吸込機械に連結されていることを特徴とする請求項１から１９のいずれか１項に記載の構造。
【請求項２１】
該吸込管と該可動部品（１４ｂ1）とが、枢動軸受で枢動（Ｇ、Ｈ）するように取り付けられていることを特徴とする請求項１から２０のいずれか１項に記載の構造。
【請求項２２】
該吸込管と該可動部品とが、枢動可能なドラフト装置フードに取り付けられていることを特徴とする請求項１から２１のいずれか１項に記載の構造。
【請求項２３】
該流れ通路（１５）と該スライバファネルが、構造結合体を形成していることを特徴とする請求項１から２２のいずれか１項に記載の構造。
【請求項２４】
該流れ通路（１５）が該スライバファネルの該入口（ファネルフラップ）に一体化されていることを特徴とする請求項１から２３のいずれか１項に記載の構造。
【請求項２５】
該カバー要素の該位置固定部品（１４ｂ2）とウェブ案内位置決め要素とが機能的結合体を形成していることを特徴とする請求項１から２４のいずれか１項に記載の構造。
【発明の詳細な説明】
【技術分野】
【０００１】
本発明は、ウェブ案内要素、スライバファネル及び一対のドローオフローラがドラフト装置の直ぐ後のドラフト装置出口に設けられていて、吸込除去装置が、スライバファネルの出口とドローオフローラ間のニップとの間の領域を取り囲むことができる、塵埃、繊維屑等を取り除くための吸込装置を含む練条機の構造に関する。
【背景技術】
【０００２】
既知の練条機において、開放された吸い込みサイトは、放出された繊維屑を取り除くために、ドローオフローラとスライバファネルの近くに配置されている。繊維スライバが圧縮されている位置において、相当に大きい動的エネルギを持っている繊維及び塵埃粒子が集中的に発生する結果、開放吸い込みサイトは環境汚染を十分には防止することができない。異なる方向への推進力を持つ廃棄物粒子には、吸い込みサイトを越えて進むものもある。
【発明の開示】
【発明が解決しようとする課題】
【０００３】
従って本発明の課題は、上述の不具合が無く、且つ放出された廃棄物を特に効果的に捕獲して取り除く、本明細書の初めに述べた型の構造を提供することである。
【課題を解決するための手段】
【０００４】
その課題は、請求項１の特徴部分によって解決される。
【０００５】
本発明による手段の結果として、塵埃及び繊維の流れがその除去のために設けられた吸込サイトへ特別に向けられて運搬されるように、廃棄物源を囲むことができる。吸込除去通路の幾何学的配置に位置づけ部材を組み込むと、二重の機能を持つ構造要素が得られる。そのようにして、ドラフト装置とドローオフローラとの間の領域が吸込除去によって清潔に保たれることが可能なる。同時に保守及び補修のための接近性が大幅に改善される。
【０００６】
請求項２乃至２５は、この発明の有利な発展例を含んでいる。
【発明を実施するための最良の形態】
【０００７】
本発明を図面に示された実施例と関連づけて以下に詳しく説明する。
【０００８】
図１によれば、練条機、例えば、ツリュツラーＴＤ  ０３型練条機は、ドラフト装置入口及びドラフト装置出口を持つドラフト装置１を有する。ケンスから出る繊維スライバ２はスライバガイドに入り、ドローオフローラに引っ張られて計測装置を通過して運ばれる。ドラフト装置１は４対３ドラフト装置として構成されている、即ち３個の下部ローラI、II、III（Ｉ下部出口ローラ、ＩＩ下部中間ローラ、ＩＩＩ下部入口ローラ）と４個の上部ローラ３、４、５、６からなっている。ドラフト装置１において、繊維束２は、複数の繊維スライバから引き出される。ドラフトは初期ドラフトと主ドラフトとからなる。ローラ対６／III、５／IIは初期ドラフトゾーンを形成し、ローラ対５／II、３，４／Ｉは、主ドラフトゾーンを形成する。ドラフトされた繊維スライバ（繊維ウェブ１３）は、ドラフト装置出口のウェブ案内要素７に達し、そしてドローオフローラ８、９によりスライバファネル１０を通して引き出され、その中で集束されて繊維スライバ１１を形成し、これは引き続いてケンスコイラ１２によってケンス（図示しない）の中に入れられる。参照符号Ａは、繊維束の供給方向を示している。ウェブ案内要素７とドローオフローラ８、９の間に、吸込除去装置１４がある。吸込除去装置１４の流れ通路１５（図２参照）は、スライバファネル１０の入口開口１０ａの上流側に配置され、及びオーバーラップしている出口開口１０ｂ及びドローオフローラ８、９の間のニップに配置される。
【０００９】
図２によれば、ウェブ案内要素７は濾斗状の形状をしており、開放側７ａ（入口側開口）と出口開口７ｂとを持っている。出口開口７ｂには、集束繊維ウェブ１３をスライバファネル１０へ運ぶ移送管１６、１７が連結されている。運転中、取り入れられた繊維ウェブは、入口開口１０ａを通り、繊維スライバ１１の形で内部を通り、出口開口１０ｂを通り、そしてそれからドローオフローラ８、９の間のニップａを通って進む。繊維材料は、スライバファネル１０に入るときとローラーニップａの中にあるときの双方で圧縮され、空気は押し出され、その空気は、（スライバファネル１０において）矢印Ｃ、Ｄの方向に、及び（ドローオフローラ８、９において）供給方向Ｂと対向する矢印Ｅ、Ｆの方向に流出する。塵埃、繊維屑及び同様な廃棄物は空気と一緒に流出し、矢印Ｃ、Ｄによって図解的に図示されている。空気吸込除去装置１４の流れ通路１５は、スライバファネル１０の入口領域１０ａを囲み、そのようにして廃棄物Ｃ、Ｄを吸い込みにより除去する。参照符号１８は、スライバ筒１０の保持装置を示している。
【００１０】
図３によれば、吸込除去装置１４は吸込管１４ａを有し、その一端にカバー要素１４ｂがある。吸込管１４ａの他端１４ｃは、吸込空気源（図示しない。）に連結されている。屋根状のカバー要素１４ｂは二つの部分で構成されており、即ち部分１４ｂ1及び部分１４ｂ2からなり、部分１４ｂ1は吸込管１４ａの端部に取り付け固定されている。部分１４ｂ1、１４ｂ2は移送管１７を囲み、移相管１７は部分１４ｂ1、１４ｂ2の間の開口１４ｄを通って延びる（図４（Ａ）参照）。
【００１１】
図４（Ａ）に示されているように、流れ通路１５はカバー要素１４ｂによって覆われている。流れ通路１５は、スライバファネル１０の入口領域１０ａを囲み、そして入口領域１０ａを越えて略環状に横方向間隔ｂで突出している（図２参照）。その結果、開放された円周状流れ通路１５が形成されている。部分１４ｂ1、１４ｂ2の内壁面は、スライバファネルの入口開口１０ａから最大距離ｃだけ離れている（図４（Ｂ））。
【００１２】
空気流Ｃ、Ｄは流れ通路１５に直接入り、そして空気流Ｅ、Ｆは吸い込み開口１５1、１５2を通って流れ通路１５に入る。空気流Ｃ、Ｄ、Ｅ、Ｆは、カバー部材１４ｂを持つ流れ通路１５を通り吸込管１４ａを通って、空気流Ｇとして除去される。
【００１３】
図４（Ａ）、４（Ｂ）に依れば、吸い込み管１４ａと部分１４ｂ1は、固定された枢動軸受２０上の保持部材１９により、矢印Ｈ、Ｉの方向に枢動できるように配置されている。図４（Ａ）に依れば、吸込要素１４ａと部分１４ｂ1は作動位置に枢動されている。図４（Ｂ）に依れば、作動状態にないときは、吸込要素１４ａと部分１４ｂ1は方向Ｈの向きに枢動され、一方部分１４ｂ2は所定位置に固定されたままである。その結果、スライバファネル１０とドローオフローラ８、９は保守及び補修作業のために容易にアクセスできる。
【００１４】
図５に依れば、ドラフト装置フード２１は枢動して開けられ、ドラフト装置フード２１に取り付けられた吸込管１４ａ及び部分１４ｂ1も枢動して離されているので、保守及び補修のために自由にアクセスできる。
【図面の簡単な説明】
【００１５】
【図１】図１はウェブ案内要素、スライバファネル及び一対のドローオフローラ並びにドラフト装置の後流側に配置された本発明による構造の側面図である。
【図２】図２はスライバファネルの上流領域にある吸込除去装置の流れ通路の断面図である。
【図３】図３は流れ通路を覆うための吸込除去要素を持つ吸込除去管の斜視図である。
【図４】図４は本発明による吸込除去装置を示し、（Ａ）は作動位置に作動位置にあるところを示し、（Ｂ）は枢動されて離された位置にあるところを示している。
【図５】図５はドラフト装置フードが枢動して開いているときの本発明による構造の斜視図である。
【符号の説明】
【００１６】
１    ドラフト装置
２    繊維スライバ
７    ウェブ案内要素
８、９    ドローオフローラ
１１    繊維スライバ
１４    吸込除去装置
１４ａ    吸込管
１４ｂ    カバー要素
１５    流れ通路
１６、１７    移送管
【図１】
2005120564.tif 000003
【図２】
2005120564.tif 000004
【図３】
2005120564.tif 000005
【図４】
2005120564.tif 000006
【図５】
2005120564.tif 000007